(57)【要約】【課題】本発明は、印刷シリンダにデータキャリアを容易に且つ安定して装着出来るデータキャリア装着体を提供することを可能にすることを目的としている。【解決手段】弾性変形して縮小可能な細長いバネ材からなる支持部８ａを印刷シリンダ５の貫通孔５ｃを通して挿入し、該支持部８ａがバネ作用により拡大した状態で印刷シリンダ５の筒体５ａの内壁面に突っ張り支持され、その支持状態において取付部８ｆに取り付けたデータキャリア１が印刷シリンダ５の貫通孔５ｃの周縁近傍に配置するように構成したことを特徴とする。【選択図】　　　図１
2004058432.tif 000002
【特許請求の範囲】
【請求項１】
筒体とその両端に設けた側板を有し、各側板に筒体よりも小口径の貫通孔を設けてなる円筒形シリンダに装着するデータキャリア装着体であって、
細長いバネ材により構成され、且つ弾性変形可能もしくは拡縮可能とされた支持部と、
前記支持部に設けられ、データキャリアを取り付ける取付部と、
前記取付部に取り付けたデータキャリアと、
を備え、
前記支持部は、弾性変形もしくは収縮した状態で外部から前記円筒形シリンダの貫通孔を通して筒体内部に挿入出来ると共に、弾性復帰状態または拡大状態でそのバネ作用により筒体内壁に突っ張り支持出来、且つ、その支持状態において前記取付部に取り付けたデータキャリアが前記円筒形シリンダの貫通孔の周縁近傍に配置するように構成されていることを特徴とするデータキャリア装着体。
【請求項２】
前記支持部は弾性変形可能な円弧状の支持体と、その先端部から該支持体の径方向内側に延長する延長体により構成され、前記支持体のバネ作用により筒体内壁に突っ張り支持出来、前記延長体に前記データキャリアを取り付ける取付部を設けたことを特徴とする請求項１に記載のデータキャリア装着体。
【請求項３】
前記支持部は、中間体とその両端に連結した弾性変形可能な２つの直線状または曲線状の支持体により構成され、各支持体の先端部及び各支持体と前記中間体との連結部により筒体内壁に突っ張り支持出来、前記中間体にデータキャリアを取り付ける取付部を設けたことを特徴とする請求項１に記載のデータキャリア装着体。
【請求項４】
前記支持部は、中間体とその両端に連結した弾性変形可能な２つの円弧状の支持体からなる２つの支持形成体を有し、各支持形成体の支持体先端が互いに離反するようにそれ等中間体を連結することにより構成され、各支持体のバネ作用により前記筒体内壁に突っ張り支持出来、前記中間体にデータキャリアを取り付ける取付部を設けたことを特徴とする請求項１に記載のデータキャリア装着体。
【請求項５】
前記支持形成体は複数本の細長いバネ材を束ねて構成され、複数本の中間体をかご状に形成することによりデータキャリアを取り付ける取付部を構成したことを特徴とする請求項４に記載のデータキャリア装着体。
【請求項６】
前記取付部は筒状のスプリングにより形成され、その内部に棒状に形成したデータキャリアを取り付けたことを特徴とする請求項１〜５のいずれか１項に記載のデータキャリア装着体。
【請求項７】
前記支持部は４本の帯状の板バネを井桁状に組合せて各交差部分を回転自在に連結することにより構成され、前記板バネの１本に前記データキャリアを取り付ける取付部を設けたことを特徴とする請求項１に記載のデータキャリア装着体。
【請求項８】
前記支持部を拡大したとき、２本の帯状の板バネがその交差部分で互いに噛合するように構成したことを特徴とする請求項７に記載のデータキャリア装着体。
【請求項９】
前記４本の帯状の板バネの先端部に切込部を形成したことを特徴とする請求項７または請求項８に記載のデータキャリア装着体。
【請求項１０】
前記支持部は１本の帯状の板バネを重ね巻きに巻回し、形成した巻回体の２箇所を止金具でスライド可能に支持することにより構成され、前記巻回体の径方向の最内側部分に前記データキャリアを取り付ける取付部を設けたことを特徴とする請求項１に記載のデータキャリア装着体。
【請求項１１】
前記帯状の板バネの断面を円弧状に形成したことを特徴とする請求項７〜１０のいずれか１項に記載のデータキャリア装着体。
【発明の詳細な説明】
【０００１】
【発明の属する技術分野】
本発明は、筒体とその両端に設けた側板を有し、各側板に筒体よりも小口径の貫通孔を設けてなる印刷シリンダなどの円筒形シリンダに装着するデータキャリア装着体に関するものである。
【０００２】
【従来の技術】
大量の印刷を連続的に行うには輪転機式の印刷装置が使用される。一般に輪転式の印刷装置は筒体の表面に印刷部を形成した印刷シリンダを回転軸に装着して印刷する。
【０００３】
図１８に示すように、一般的な印刷シリンダ５は印刷部を形成した筒体５ａと、その筒体５ａの両端部に設けた側板５ｂを供え、各側板５ｂには筒体５ａよりも口径の小さい貫通孔５ｃが設けられる。
【０００４】
印刷装置には先端部をテーパ状に形成した一対の回転軸７が対向して同軸配置され、少なくとも一方の回転軸７は軸方向に進退自在とされる。そして各回転軸７の先端部を印刷シリンダ５の両端部から差し込むことにより、印刷シリンダ５を印刷装置に装着して印刷する。尚、グラビア印刷の場合は多色刷りになるので、各色毎に印刷シリンダ５が用意される。
【０００５】
印刷シリンダ５は目的とする印刷物毎に印刷部を形成する必要があるので、通常、多数の印刷シリンダ５が保管場所に保管され、必要な都度それを運搬して使用に供する。
【０００６】
また、印刷装置の種類により印刷シリンダ５の形式が異なることが多い。そこで、これ等の多種大量の印刷シリンダ５を整理保管すると共に、目的とする印刷シリンダ５を正確に且つ迅速に選択して使用に供する必要がある。
【０００７】
そのため従来から、大量の印刷シリンダ５の種類や内容を識別する手段として、例えばバーコード等を印刷シリンダ５に貼り付けて管理することが行われている。しかし、印刷シリンダ５は印刷に際してその周囲がインクで汚染されることが多いので、バーコードが読み取れなくなる等の問題があった。また印刷内容は印刷毎に変更されることも多いので、その場合には頻繁にバーコードの交換が必要になる。
【０００８】
近年、バーコード以外に情報を電子的に格納し、電磁波を利用して非接触でリーダ装置との間で情報の送受信を行うものとしてアンテナコイル及び制御回路を備えた極めて小さなＲＦＩＤタグ（Ｒａｄｉｏ　ｆｒｅｑｕｅｎｃｙ　Ｉｄｅｎｔｉｆｉｃａｔｉｏｎ　ＴＡＧ）等のデータキャリアが識別装置として普及している。
【０００９】
これ等データキャリア（子機）には携帯型、または装置や機械もしくは各種部品に装着する固定型の２種があり、いずれも無線通信領域である高周波の電磁波を利用して、親機であるリーダライタ装置（またはリーダ装置）との間で非接触によりデータの送受信（通信）を行う。
【００１０】
尚、通常、データキャリア自体は作動用としてのバッテリー等の電源を保有せず、リーダライタ装置から送信される電磁波の一部を電源として利用するように構成されている。
【００１１】
図１９はシリンダ状のアンテナコイルを有するデータキャリアの構造を説明する図であり、図２０はそのブロック図である。図１９に示すように、一般的なデータキャリア１はコア３に銅線を巻き付けて細長いシリンダ状に形成したアンテナコイル２と、そのアンテナコイル２の両端に接続されたＩＣ回路４を有する。
【００１２】
ＩＣ回路４は図２０に示すように送受信回路４ｃ、ＣＰＵ（中央演算装置）４ａ、書き込み可能な不揮発性記憶素子を有するメモリ４ｂ及び電力貯蔵用のコンデンサ４ｄを有している。そして、これ等アンテナコイル２及びＩＣ回路４は非導電性材料であるガラス容器６や樹脂等の密封容器を用いて細長い棒状に一体成形されて外部環境から保護された密封型に形成される。
【００１３】
上記データキャリア１の送受信方法を図２０により説明すると、先ず図示しないリーダライタ装置が最初のステップでデータキャリア１の呼び出し及び電力送信用の電磁波を送信する。するとデータキャリア１はその電磁波をアンテナコイル２と送受信回路４ｃの同調作用により受信し、その電力をコンデンサ４ｄに貯蔵する。これによってデータキャリア１は作動状態になるので、次のステップでリーダライタ装置からデータキャリア１に読み出し用の電磁波を送信する。
【００１４】
電磁波はデータキャリア１のアンテナコイル２から送受信回路４ｃを経てＣＰＵ４ａに入力され、ＣＰＵ４ａはそれに応じて必要な情報をメモリ４ｂから読み出し、その情報を送受信回路４ｃからアンテナコイル２を経て電磁波としてリーダライタ装置に送信する。リーダライタ装置からデータキャリア１のメモリ４ｂにデータを書き込む場合も上記方法に準じて実行される。尚、これ等一連のステップは略瞬時に行われる。
【００１５】
図１９はアンテナコイル２と電磁波の関係を説明するものである。一般に電磁波は９０度の位相差をもって交流的に伝播する電界と磁界により表すことが出来、その磁界とアンテナコイル２が鎖交することにより該アンテナコイル２に流れる電流（高周波電流）を利用して送受信が行われる。
【００１６】
例えば、アンテナコイル２から電磁波が送信される場合は、アンテナコイル２に流れる高周波電流により図１９に示すような高周波の磁界成分Ｈがアンテナコイル２の中心を通るループ（磁束ループ）として分布し、この磁束領域にリーダライタ装置のアンテナコイルを置くと、リーダライタ装置はデータキャリア１からの情報を受信出来る。
【００１７】
同様にリーダライタ装置から電磁波を送信する場合にも、データキャリア１のアンテナコイル２の周囲には図示のような磁界成分Ｈが分布し、それをアンテナコイル２が受信することになる。
【００１８】
識別装置としてのデータキャリア１を印刷シリンダ５に装着するには、印刷に支障を与えないこと、インクや油等により汚染、腐蝕がされにくいこと、高速回転運転（通常１０００ｒｐｍ程度）でも安定な装着状態を長期間維持出来ること、既存の印刷シリンダ５、新設の印刷シリンダ５を問わず簡単に且つ低コストで装着出来ること、外部から容易に通信可能なこと、等の条件を満たす必要がある。
【００１９】
例えば、図１８に示す印刷シリンダ５の側板５ｂに溝を設け、その溝内にデータキャリア１を埋め込むことが考えられる。
【００２０】
【発明が解決しようとする課題】
しかしながら、前述の方法は装着の安定性が高く、外部との通信が容易であるという利点はあるものの、装着コストが高いこと、既存の印刷シリンダ５に装着する場合は溝を穿設する際の細かい掘削屑が印刷面に付着して印刷品質を損なう虞がある等の問題があり、更に、インクや油等による汚染、腐蝕を防止するために埋設表面に保護層を形成する等の対策が別途必要になるという問題があった。
【００２１】
本発明は前記課題を解決するものであり、その目的とするところは、印刷シリンダ等の円筒形シリンダにデータキャリアを容易に且つ安定して装着出来るデータキャリア装着体を提供せんとするものである。
【００２２】
【課題を解決するための手段】
前記目的を達成するための本発明に係る代表的なデータキャリア装着体は、筒体とその両端に設けた側板を有し、各側板に筒体よりも小口径の貫通孔を設けてなる円筒形シリンダに装着するデータキャリア装着体であって、細長いバネ材により構成され、且つ弾性変形可能もしくは拡縮可能とされた支持部と、前記支持部に設けられ、データキャリアを取り付ける取付部と、前記取付部に取り付けたデータキャリアとを備え、前記支持部は、弾性変形もしくは収縮した状態で外部から前記円筒形シリンダの貫通孔を通して筒体内部に挿入出来ると共に、拡大した状態でそのバネ作用により筒体内壁に突っ張り支持出来、且つ、その支持状態において前記取付部に取り付けたデータキャリアが前記円筒形シリンダの貫通孔の周縁近傍に配置するように構成されていることを特徴とする。
【００２３】
本発明は、上述の如く構成したので、細長いバネ材により構成され、且つ弾性変形可能もしくは拡縮可能とされた支持部が弾性変形もしくは収縮した状態で外部から円筒形シリンダの貫通孔を通して筒体内部に挿入出来、拡大した状態でそのバネ作用により筒体内壁に突っ張り支持出来る。
【００２４】
このようにデータキャリアを円筒形シリンダの内側に装着することにより、例えば印刷シリンダの場合、インクや油による汚染、腐蝕の問題を回避出来る。また支持部を弾性変形もしくは収縮して円筒形シリンダの貫通孔より内部に挿入し、次いで拡大して突っ張り支持する方式を採用したので、既存、新設を問わず円筒形シリンダに容易に且つ低コストでデータキャリアを装着出来、長期間その状態を安定に維持することが出来る。
【００２５】
更に、上記データキャリア装着体をこのように円筒形シリンダ内部に支持した状態において、取付部に取り付けたデータキャリアが円筒形シリンダの貫通孔の周縁近傍に配置するように構成したので、例えばリーダライタ装置等の通信機器を円筒形シリンダの外部から近づけて電磁波により非接触で通信する場合、貫通孔からの磁束漏洩を利用して高い感度で良好な通信を行うことが出来る。
【００２６】
【発明の実施の形態】
図により本発明に係るデータキャリア装着体の一実施形態を具体的に説明する。先ず、図１〜図４を用いて本発明に係るデータキャリア装着体の第１実施形態の構成について説明する。図１及び図２は本発明に係るデータキャリア装着体の第１実施形態を円筒形シリンダの例として印刷シリンダ内に装着した様子を示す斜視図及び平面図、図３及び図４は本発明に係るデータキャリア装着体の第１実施形態の構成を示す図である。
【００２７】
図１及び図２では、弾性変形可能であって且つ拡縮可能な支持部８ａを有するデータキャリア装着体８を印刷シリンダ５の内部に装着した状態を示す。印刷シリンダ５は図１８に示して前述したように、筒体５ａと、その両端に設けた側板５ｂを有し、各側板５ｂに筒体５ａよりも小口径の貫通孔５ｃが設けられている。
【００２８】
データキャリア装着体８の支持部８ａは、図３に示すように、断面円形もしくは断面扁平な細長いステンレス製のバネ材（例えば、焼き入れした外径直径２．６ｍｍのＳＵＳ３０４バネ棒材を使用することが出来る。）により形成され、印刷シリンダ５の内径に対応して円弧状に形成した弾性変形可能で拡縮可能な支持体８ｂと、その支持体８ｂから該支持体８ｂの径方向内側に延長した延長体８ｃを有し、それ等は１本の棒状体から形成することが出来る。
【００２９】
支持体８ｂの長さは印刷シリンダ５の内部に挿入可能な範囲で自由に選択することが出来るが、実験から好ましくは、印刷シリンダ５の筒体５ａの内周の略半周の長さに設定すると良い。
【００３０】
支持部８ａは図１に示すように印刷シリンダ５の内部にバネ作用によって突っ張って装着したときに、印刷シリンダ５の高速回転により径方向及び軸方向にズレを生じることなく安定した装着状態を維持することが必要である。
【００３１】
支持部８ａのバネ剛性はその断面積に比例するので、断面積を選択することにより印刷シリンダ５の軸方向におけるデータキャリア装着体８の位置ズレを防止可能なバネ剛性を得ることが出来る。
【００３２】
延長体８ｃは支持体８ｂから該支持体８ｂの径方向内側に直角に折れ曲がる第１の折曲部８ｄと、それから更に同方向に直角に折れ曲がる第２の折曲部８ｅを有し、該第２の折曲部８ｅの先端部に同軸的にデータキャリア１を取り付ける取付部８ｆが設けられている。
【００３３】
データキャリア装着体８を印刷シリンダ５内部の所定位置に支持した状態において、取付部８ｆに取り付けたデータキャリア１が印刷シリンダ５の貫通孔５ｃの周縁近傍に配置するように、その延長体８ｃの形状及び長さが決められる。
【００３４】
尚、延長体８ｃとしては図１〜図３に示すように２つの折曲部により形成する以外に、例えば、その全長もしくは一部を円弧状に形成したものであっても良い。
【００３５】
図４（ａ）に示す支持部８ａは、延長体８ｃが円弧状の支持体８ｂから該支持体８ｂの径方向内側に該支持体８ｂの延長方向に沿って同方向に鈍角で折れ曲がる第１の折曲部８ｄと、それから更に同方向に鈍角で折れ曲がる第２の折曲部８ｅを有し、該第２の折曲部８ｅの先端部に同軸的にデータキャリア１を取り付ける取付部８ｆが設けられている。
【００３６】
また、図４（ｂ）に示す支持部８ａは、延長体８ｃが円弧状の支持体８ｂから該支持体８ｂの径方向内側に該支持体８ｂの延長方向に沿って同方向に鈍角で折れ曲がる直線部で構成され、該延長体８ｃの側面部に同軸的にデータキャリア１を取り付ける取付部８ｆが設けられている。
【００３７】
取付部８ｆは、例えば、図１９に示すような外径直径２．１２ｍｍ、長さ１２ｍｍのガラス封入した棒状のデータキャリア１（ＲＦＩＤタグ）を内部に挿入可能な内径と長さとを有する筒状のスプリングにより構成される。取付部８ｆのスプリングはＳＵＳ３０４バネ材を使用することが出来る。
【００３８】
図３及び図４（ｂ）に示すスプリングは溶接等で延長体８ｃの第２の折曲部８ｅ或いは直線状の延長体８ｃの側面部に固定され、該スプリングの内部にデータキャリア１を挿入した状態でスプリングの両端部が溶接等により閉塞されている。また、図４（ａ）に示すスプリングは、その一端部が第２の折曲部８ｅに挿通されて溶接等により固定され、他端部が溶接等により閉塞されている。
【００３９】
尚、スプリングの内部に挿入したデータキャリア１が飛び出さないように、溶接の代わりにスプリング材の端部をその径方向内側に延長して構成したストッパ部を設けても良い。
【００４０】
そして、スプリングの先端及び周囲の間隙を通して漏洩する磁束により、データキャリア１と外部との通信を高感度で行うことが出来る。
【００４１】
尚、取付部８ｆを筒状のスプリングで構成する代わりに、例えば金属製の短筒を使用し、その軸方向に沿って複数のスリット部を設けた筒体で構成することも出来る。その場合には筒体の先端部と各スリット部を通して漏洩する磁束によりデータキャリア１と外部との通信を高感度で行うことが出来る。
【００４２】
図１のようにデータキャリア装着体８を印刷シリンダ５の内部に装着するには、先ず、支持部８ａをその支持体８ｂ先端から弾性変形且つ収縮させた状態で、外部から印刷シリンダ５の貫通孔５ｃに挿入し、続いてそのバネ作用による弾性変形を利用しながら支持体８ｂを順次押し込んで延長体８ｃ及びデータキャリア１が取り付けられた取付部８ｆを挿入し、支持部８ａがそのバネ作用により図１に示すように、弾性復帰状態及び拡大状態となった際に、図２に示すように、支持体８ｂの先端部付近、及びその支持体８ｂと延長体８ｃとの連結部付近の２箇所が印刷シリンダ５の筒体５ａ内壁面に強く圧着して突っ張り支持され、その支持状態において取付部８ｆに取り付けたデータキャリア１が印刷シリンダ５の貫通孔５ｃの周縁近傍に配置されて安定して支持されるように構成されている。
【００４３】
支持体８ｂの長さは印刷シリンダ５の筒体５ａの内周の半分以上あれば好ましい。また、本実施形態の支持体８ｂは同心円の一部として形成された一例であるが支持体８ｂを螺旋状で構成しても良い。支持体８ｂが螺旋状の場合には設置安定性が向上する反面、挿入時に手間を要するので２周以下の適当な長さで設定すれば良い。
【００４４】
次に図５及び図６を用いて本発明に係るデータキャリア装着体の第２実施形態の構成について説明する。図５は本発明に係るデータキャリア装着体の第２実施形態を印刷シリンダの内部に装着した様子を示す平面図、図６は本発明に係るデータキャリア装着体の第２実施形態の構成を示す斜視図である。尚、前記第１実施形態と同様に構成したものは同一の符号を付して説明を省略する。
【００４５】
本実施形態では、図６に示すように、データキャリア装着体８の支持部８ａが、直線状の中間体８ｇと、その両端に連結した弾性変形可能な２つの直線状の支持体８ｂ１，８ｂ２により構成され、図５に示すように、各支持体８ｂ１，８ｂ２の先端部８ｉ１，８ｉ２及び各支持体８ｂ１，８ｂ２と中間体８ｇとの連結部８ｈ１，８ｈ２により印刷シリンダ５の筒体５ａの内壁面に突っ張り支持出来、中間体８ｇにデータキャリア１を取り付ける取付部８ｆを設けたものである。
【００４６】
そして、２つの支持体８ｂ１，８ｂ２と中間体８ｇは、図６に示すように、図３及び図４に示して前述した第１実施形態と同様な１本の棒体から作ることが出来、その連結部８ｈ１，８ｈ２をＵ型に折り曲げることにより、支持体８ｂ１，８ｂ２と中間体８ｇとの間のバネ作用が有効に発現すると共に、印刷シリンダ５の内部に装着したときには該印刷シリンダ５の軸方向及び径方向におけるデータキャリア装着体８の移動を抑制する。
【００４７】
尚、支持体８ｂ１，８ｂ２の先端部８ｉ１，８ｉ２は図６に示すように各支持体８ｂ１，８ｂ２から直角に連結部８ｈ１，８ｈ２と同じ方向に折り曲げられ、印刷シリンダ５内部での装着状態でその先端部８ｉ１，８ｉ２の折り曲げ部分は印刷シリンダ５の軸方向に延長され、これによってもデータキャリア装着体８の印刷シリンダ５の軸方向の移動を抑制出来る。
【００４８】
２つの支持体８ｂ１，８ｂ２は、図６に示すように、自然状態（弾性復帰状態）でそれ等先端部８ｉ１，８ｉ２が互いに近接した状態で形成されており、図５に示すように、データキャリア装着体８を印刷シリンダ５内部に装着したとき、それ等支持体８ｂ１，８ｂ２の先端部８ｉ１，８ｉ２が更に互いに接近して全体がほぼ三角形状になる。
【００４９】
支持部８ａを印刷シリンダ５内部に装着するには、先ず２つの支持体８ｂ１，８ｂ２を中間体８ｇ側に折り曲げるように弾性変形して収縮した状態で、貫通孔５ｃから挿入し、次いで２つの支持体８ｂ１，８ｂ２を弾性復帰させて拡大させる。
【００５０】
すると、各支持体８ｂ１，８ｂ２の先端部８ｉ１，８ｉ２及び各支持体８ｂ１，８ｂ２と中間体８ｇとの連結部８ｈ１，８ｈ２が支持体８ｂ１，８ｂ２のバネ作用により印刷シリンダ５の筒体５ａ内壁に突っ張り支持出来、それによってデータキャリア装着体８が安定して印刷シリンダ５の内部に装着出来る。
【００５１】
更にその状態で中間体８ｇの取付部８ｆで前記第１実施形態と同様にコイルバネ内に取り付けられたデータキャリア１が貫通孔５ｃ付近に位置するようになっている。他の構成は、前記第１実施形態と同様に構成され、同様の効果を得ることが出来る。
【００５２】
次に図７及び図８を用いて本発明に係るデータキャリア装着体の第３実施形態の構成について説明する。図７は本発明に係るデータキャリア装着体の第３実施形態を印刷シリンダの内部に装着した様子を示す平面図、図８は本発明に係るデータキャリア装着体の第３実施形態の構成を示す斜視図である。尚、前記各実施形態と同様に構成したものは同一の符号を付して説明を省略する。
【００５３】
本実施形態は、前記第２実施形態の変形例であり、支持部８ａが曲線状の中間体８ｇと、その両端に連結した弾性変形可能で拡縮可能な２つの曲線状の支持体８ｂ１，８ｂ２により構成されており、その他は前記第２実施形態と同様に構成されている。
【００５４】
尚、中間体８ｇは前記第２実施形態と同様に直線状であっても良い。このように各支持体８ｂ１，８ｂ２、またはそれ等と中間体８ｇとを曲線状とすることにより、印刷シリンダ５の内部に装着した際のバネ作用をより効果的に発現することが出来る。
【００５５】
次に図９及び図１０を用いて本発明に係るデータキャリア装着体の第４実施形態の構成について説明する。図９は本発明に係るデータキャリア装着体の第４実施形態を印刷シリンダの内部に装着した様子を示す平面図、図１０（ａ）は本発明に係るデータキャリア装着体の第４実施形態の構成を示す斜視図、図１０（ｂ）は３本の中間体を束ねて形成した、かご状の取付部の構成を示す断面図である。尚、前記各実施形態と同様に構成したものは同一の符号を付して説明を省略する。
【００５６】
本実施形態のデータキャリア装着体９は弾性変形可能で拡縮可能な細長いバネ材からなる支持部９ａを有し、その支持部９ａは、直線状の中間体９ｇ１，９ｇ２，９ｇ３と、それ等の各両端に連結した弾性変形可能で拡縮可能な２つの円弧状の支持体９ｂ１，９ｂ２，９ｂ３，９ｂ４，９ｂ５，９ｂ６からなる２つの支持形成体１０ａ，１０ｂを有する。
【００５７】
そして、各支持形成体１０ａ，１０ｂの支持体９ｂ１〜９ｂ６の先端が互いに離反するように、それ等中間体９ｇ１，９ｇ２，９ｇ３を連結する。例えば、本実施形態では、図９及び図１０（ａ）に示すように、束ねた３本の中間体９ｇ１，９ｇ２，９ｇ３の両端部の２箇所をリングスリーブ１６で圧着して締結することにより支持部９ａが構成され、各支持体９ｂ１〜９ｂ６のバネ作用により印刷シリンダ５の筒体５ａの内壁に突っ張り支持出来る。
【００５８】
図９及び図１０（ａ），（ｂ）に示すように、リングスリーブ１６により束ねられた３本の細長いバネ材からなる中間体９ｇ１，９ｇ２，９ｇ３の中間部はかご状に形成され、そのかご状の取付部９ｆの内部にデータキャリア１が挿入されて保持されている。
【００５９】
そして、データキャリア装着体９の支持部９ａを印刷シリンダ５の内部に装着したとき、取付部９ｆを設けた中間体９ｇ１，９ｇ２，９ｇ３が印刷シリンダ５の貫通孔５ｃ付近に位置する必要がある。そのため、図９の上側の支持体９ｂ１〜９ｂ４からなる支持形成体１０ａを長くし、図９の下側の支持体９ｂ５，９ｂ６からなる支持形成体１０ｂを短く形成してある。
【００６０】
また、図９の上側の支持形成体１０ａを２本の細長いバネ材からなる棒体により構成し、図９の下側の支持形成体１０ｂを１本の細長いバネ材からなる棒体により構成し、３本の棒体を束ねた中間体９ｇ１，９ｇ２，９ｇ３の中間部に紡錘形のかご体を形成し、そのかご体により取付部９ｆが構成される。
【００６１】
即ち、かご体の内部にデータキャリア１を挿入し、次いで、かご体を収縮するように締め付けることによりデータキャリア１を安定して保持出来る。尚、必要に応じてデータキャリア１を挿入したかご体に接着剤を浸透して両者を一体化することも出来る。
【００６２】
支持部９ａを印刷シリンダ５の内部に装着するには、先ず、２つの支持形成体１０ａ，１０ｂを中間体９ｇ１，９ｇ２，９ｇ３に接近するように弾性変形及び収縮して印刷シリンダ５の貫通孔５ｃから挿入し、次いで、２つの支持形成体１０ａ，１０ｂを弾性復帰させて拡大状態とする。
【００６３】
すると、各支持体９ｂ１〜９ｂ６のバネ作用により印刷シリンダ５の筒体５ａの内壁に突っ張り支持出来、それによってデータキャリア装着体９が安定して装着出来る。更に、その状態でデータキャリア１が印刷シリンダ５の貫通孔５ｃ付近に位置するようになっている。
【００６４】
尚、円弧状の支持形成体１０ａ，１０ｂを弾性復帰させて、図９に示すように印刷シリンダ５の内部に装着状態としたとき、各支持形成体１０ａ，１０ｂの４つの先端部付近が印刷シリンダ５の筒体５ａの内壁面に強く圧着して安定した状態で突っ張り支持される。
【００６５】
次に図１１〜図１３を用いて本発明に係るデータキャリア装着体の第５実施形態の構成について説明する。図１１は本発明に係るデータキャリア装着体の第５実施形態において印刷シリンダの貫通孔から挿入した帯状の板バネを拡大した状態で、そのバネ作用により筒体内壁に突っ張り支持した様子を示す斜視図、図１２は４本の帯状の板バネを井桁状に組合せて各交差部分を回転自在に連結した様子を示す斜視図、図１３は第５実施形態において帯状の板バネを収縮した状態で印刷シリンダの貫通孔から挿入する様子を示す斜視図である。尚、前記各実施形態と同様に構成したものは同一の符号を付して説明を省略する。
【００６６】
図１３は細長いバネ材により構成され、弾性変形可能で且つ拡縮可能に構成された支持部１１ａを弾性変形及び収縮した状態で外部からデータキャリア装着体１１を印刷シリンダ５の貫通孔５ｃに挿入しているところを示し、図１１は貫通孔５ｃから挿入したデータキャリア装着体１１の支持部１１ａを拡大し、その板バネのバネ作用により支持部１１ａを筒体５ａの内壁に突っ張り支持し、その支持状態において取付部１１ｂに取り付けたデータキャリア１が印刷シリンダ５の貫通孔５ｃの周縁近傍に配置した状態を示す。
【００６７】
本実施形態のデータキャリア装着体１１の支持部１１ａは、図１２に示すように、４本の断面円弧状の帯状の板バネ１２ａ，１２ｂ，１２ｃ，１２ｄを井桁状に組合せ、各交差部を軸部材１３を介して回転自在に連結することにより構成され、その支持部１１ａにおける１本の板バネ１２ａにデータキャリア１を取り付ける取付部１１ｂを設けている。
【００６８】
本実施形態では１本の板バネ１２ａの一部が取付部１１ｂを兼用しており、該取付部１１ｂにデータキャリア１を接着剤等により固定している。尚、他の構成としてデータキャリア１を保持するデータキャリアホルダを別個に用意し、それを接着等により板バネ１２ａ等に固定することも出来る。
【００６９】
板バネ１２ａ〜１２ｄは折り曲げ自在で且つ折り曲げたときに強い反発力で元のまっすぐな状態に戻ろうとする作用を有している。板バネ１２ａ〜１２ｄの材質は一般のバネ鋼板やステンレス板（例えば、ＳＵＳ３０４）を使用することが出来る。
【００７０】
図１２は板バネ１２ａ〜１２ｄの１例を示す斜視図であり、本実施形態では、図１２に示すように、断面を円弧状に湾曲した板バネ（例えば、巻取り式金属製メジャーのようなもの）１２ａ〜１２ｄを使用し、図１１に示す装着状態（支持状態）としたときに、その凹面１４側が印刷シリンダ５の筒体５ａ及び側板５ｂの内壁面側に対向するようにすると、板バネ１２ａ〜１２ｄの幅方向両エッジ部１４ａが筒体５ａの内壁面に突き当たるように接触し、それによって支持部１１ａと筒体５ａとの間の摩擦抵抗をより高めることが出来る。
【００７１】
このように、支持部１１ａと筒体５ａとの間の摩擦抵抗を高めることによって、印刷シリンダ５が比較的高速で回転したときでも、支持部１１ａが印刷シリンダ５の軸方向に移動することを有効に防止出来る。
【００７２】
また、摩擦抵抗を増加させると周方向移動も同時に抑制されるという利点がある。尚、支持部１１ａが印刷シリンダ５の周方向に移動しても本発明において大きな支障にはならないが、出来れば本実施形態のように周方向移動も抑制されることが望ましい。
【００７３】
支持部１１ａを図１１のように拡大状態としたとき、井桁を構成する２対の対向する板バネ１２ａ〜１２ｄの離間間隔は、印刷シリンダ５の側板５ｂに設けた貫通孔５ｃの直径よりも僅かに大きくなるように設定され、それによって装着状態においてデータキャリア１を貫通孔５ｃの近傍に配置させることが出来る。
【００７４】
このような位置にデータキャリア１を配置すると、印刷シリンダ５の貫通孔５ｃを通る漏洩磁束により、外部のリーダライタ装置等との間の通信を高い感度で行うことが出来る。
【００７５】
尚、メンテナンス等において、印刷シリンダ５の内部に装着したデータキャリア装着体１１を外部に取り出すには、上記と逆の操作を行えば良い。
【００７６】
次に図１４を用いて本発明に係るデータキャリア装着体の第６実施形態の構成について説明する。図１４は本発明に係るデータキャリア装着体の第６実施形態において４本の帯状の板バネを井桁状に組合せて各交差部分を回転自在に連結した様子を示す図である。尚、前記各実施形態と同様に構成したものは同一の符号を付して説明を省略する。
【００７７】
図１４は図１２の変形例である。この例では井桁状を形成する各４本の帯状の板バネ１２ａ〜１２ｄの先端部に切込部１５が形成され、その切込部１５により先端が鋭利な一対の突っ張り部１５ａが形成され、その突っ張り部１５ａは支持部１１ａを拡大したときに印刷シリンダ５の筒体５ａの内壁面に食い込んでデータキャリア装着体１１を支持する。
【００７８】
そのため各板バネ１２ａ〜１２ｄの長さを印刷シリンダ５の内径直径よりも極くわずか大きく形成し、そのバネ性による僅かな撓みにより突っ張り部１５ａを印刷シリンダ５の筒体５ａの内壁面に確実に食い込ませ、データキャリア装着体１１を印刷シリンダ５内に支持する。
【００７９】
更に本実施形態では、図１４に示すように、データキャリア装着体１１の支持部１１ａを拡大したとき、２本の帯状の板バネ、即ち、板バネ１２ａと板バネ１２ｃ，１２ｄ、及び板バネ１２ｂと板バネ１２ｃ，１２ｄとがその交差部分で互いに噛合するように構成されている。
【００８０】
そのため各板バネ１２ａ〜１２ｄの断面を円弧状に形成し、例えば、図１４に示すように、交差部分の上側の板バネ１２ａ，１２ｂを上に凸に配置すると共に、下側の板バネ１２ｃ，１２ｄを下に凸に配置し、上側の板バネ１２ａ，１２ｂにおける交差部分に下側の板バネ１２ｃ，１２ｄのエッジ部１４ａに対応する２対の切欠溝１４ｂを設け、それ等の切欠溝１４ｂに下側の板バネ１２ｃ，１２ｄの両エッジ部１４ａを入れ込んで噛み合わせる。
【００８１】
このようにすると、データキャリア装着体１１を拡大したときに噛み合わせが形成され、その拡大状態（即ち、図１１に示すような突っ張り支持状態）を安定に維持することが出来る。尚、この噛み合わせ構成は図１２に示した第５実施形態においても適用出来る。
【００８２】
次に図１５〜図１７を用いて本発明に係るデータキャリア装着体の第７実施形態の構成について説明する。図１５及び図１６は本発明に係るデータキャリア装着体の第７実施形態において印刷シリンダの貫通孔から挿入した帯状の板バネを拡大した状態で、そのバネ作用により筒体内壁に突っ張り支持した様子を示す斜視図及び平面透視図、図１７は１本の帯状の板バネを重ね巻きに巻回し、その巻回体の２箇所を止金具でスライド可能に支持したデータキャリア装着体の構成を示す斜視図である。尚、前記各実施形態と同様に構成したものは同一の符号を付して説明を省略する。
【００８３】
本実施形態では、図１７に示すように、１本の帯状のステンス製の板バネ２１を重ね巻きに巻回し、形成したその巻回体の２箇所を止金具２２ａ，２２ｂでスライド可能に支持することによりデータキャリア装着体２３の支持部２３ａを構成している。そして巻回体の径方向の最内側部分にデータキャリア１を取り付ける取付部２３ｂが設けられている。
【００８４】
止金具２２ａ，２２ｂは断面方形状のバンドにより構成され、そのバンド内に巻回体が束ねられる。そしてバンドに設けたネジ孔に固定ボルト２４を螺着し、それを締め付けることにより巻回体が締結される。
【００８５】
また、巻回体の径方向の最内側部分にはデータキャリア１を取り付ける取付部２３ｂが設けられる。本実施形態においても板バネ２１自体が取付部２３ｂを兼用しており、該取付部２３ｂにデータキャリア１を接着剤等により固定している。しかしデータキャリア１を保持するデータキャリアホルダを別個に用意し、それを接着等により板バネ２１に固定することも出来る。
【００８６】
図１７に示すデータキャリア装着体２３を図１５及び図１６に示すように印刷シリンダ５の内部に装着するには、先ず、巻回体の外径直径が印刷シリンダ５の筒体５ａの内径直径よりも幾分大きくなるように止金具２２ａ，２２ｂの固定ボルト２４を締着して固定し、巻回体を弾性変形して直径を収縮した状態を手で固定して維持しながら印刷シリンダ５の貫通孔５ｃから内部に挿入し、次いで手の固定を緩めると板バネ２１の反発力により巻回体の直径が拡大し、その巻回体の最外側の表面が印刷シリンダ５の筒体５ａの内壁面に密着し、突っ張った状態で支持される。
【００８７】
次に巻回体の最内側の板バネ２１のループ形状を調整し、データキャリア１が貫通孔５ｃの周縁近傍に配置するように設定する。
【００８８】
本実施形態においても、断面が円弧状に湾曲した板バネ２１を使用し、図１５及び図１６に示すようにデータキャリア装着体２３を印刷シリンダ５の筒体５ａ内部に装着状態（支持状態）としたときに、その凹面１４側が印刷シリンダ５の筒体５ａの内壁面側に対向するようにすると、板バネ２１の幅方向両エッジ部１４ａが筒体５ａの内壁面に突き当たるように接触し、それによって、支持部２３ａと筒体５ａとの間の摩擦抵抗をより高めることが出来る。
【００８９】
このように、支持部２３ａと筒体５ａとの間の摩擦抵抗を高めることによって、印刷シリンダ５が比較的高速で回転したときでも、支持部２３ａが該印刷シリンダ５の軸方向に移動することを有効に防止出来る。また摩擦抵抗を増加させると印刷シリンダ５の周方向におけるデータキャリア装着体２３の移動も同時に抑制されるという利点がある。
【００９０】
以上の各実施形態では円筒形シリンダとして印刷シリンダを例に説明したが、本発明はこれに限らず、筒体とその両端に設けた側板を有し、各側板に筒体よりも小口径の貫通孔を設けて構成される他の円筒形シリンダにも同様に適用できる。
【００９１】
【発明の効果】
本発明は、上述の如き構成と作用とを有するので、細長いバネ材により構成され、且つ弾性変形可能もしくは拡縮可能とされた支持部が弾性変形もしくは収縮した状態で外部から円筒形シリンダの貫通孔を通して筒体内部に挿入出来、拡大した状態でそのバネ作用により筒体内壁に突っ張り支持出来る。
【００９２】
このようにデータキャリアを円筒形シリンダの内側に装着することにより、例えば印刷シリンダの場合、インクや油による汚染、腐蝕の問題を回避出来る。また支持部を弾性変形もしくは収縮して円筒形シリンダの貫通孔より内部に挿入し、次いで拡大して突っ張り支持する方式を採用したので、既存、新設を問わず円筒形シリンダに容易に且つ低コストでデータキャリアを装着出来、長期間その状態を安定に維持することが出来る。
【００９３】
更に、上記データキャリア装着体をこのように円筒形リンダ内部に支持した状態において、取付部に取り付けたデータキャリアが円筒形シリンダの貫通孔の周縁近傍に配置するように構成したので、例えばリーダライタ装置等の通信機器を円筒形シリンダの外部から近づけて電磁波により非接触で通信する場合、貫通孔からの磁束漏洩を利用して高い感度で良好な通信を行うことが出来る。
【図面の簡単な説明】
【図１】本発明に係るデータキャリア装着体の第１実施形態を印刷シリンダ内に装着した様子を示す斜視図である。
【図２】本発明に係るデータキャリア装着体の第１実施形態を印刷シリンダ内に装着した様子を示す平面図である。
【図３】本発明に係るデータキャリア装着体の第１実施形態の構成を示す図である。
【図４】本発明に係るデータキャリア装着体の第１実施形態の他の構成を示す図である。
【図５】本発明に係るデータキャリア装着体の第２実施形態を印刷シリンダの内部に装着した様子を示す平面図である。
【図６】本発明に係るデータキャリア装着体の第２実施形態の構成を示す斜視図である。
【図７】本発明に係るデータキャリア装着体の第３実施形態を印刷シリンダの内部に装着した様子を示す平面図である。
【図８】本発明に係るデータキャリア装着体の第３実施形態の構成を示す斜視図である。
【図９】本発明に係るデータキャリア装着体の第４実施形態を印刷シリンダの内部に装着した様子を示す平面図である。
【図１０】（ａ）は本発明に係るデータキャリア装着体の第４実施形態の構成を示す斜視図、（ｂ）は３本の中間体を束ねて形成したかご状の取付部の構成を示す断面図である。
【図１１】本発明に係るデータキャリア装着体の第５実施形態において印刷シリンダの貫通孔から挿入した帯状の板バネを拡大した状態で、そのバネ作用により筒体内壁に突っ張り支持した様子を示す斜視図である。
【図１２】４本の帯状の板バネを井桁状に組合せて各交差部分を回転自在に連結した様子を示す斜視図である。
【図１３】第５実施形態において帯状の板バネを収縮した状態で印刷シリンダの貫通孔から挿入する様子を示す斜視図である。
【図１４】本発明に係るデータキャリア装着体の第６実施形態において４本の帯状の板バネを井桁状に組合せて各交差部分を回転自在に連結した様子を示す図である。
【図１５】本発明に係るデータキャリア装着体の第７実施形態において印刷シリンダの貫通孔から挿入した帯状の板バネを拡大した状態で、そのバネ作用により筒体内壁に突っ張り支持した様子を示す斜視図である。
【図１６】本発明に係るデータキャリア装着体の第７実施形態において印刷シリンダの貫通孔から挿入した帯状の板バネを拡大した状態で、そのバネ作用により筒体内壁に突っ張り支持した様子を示す平面透視図である。
【図１７】１本の帯状の板バネを重ね巻きに巻回し、その巻回体の２箇所を止金具でスライド可能に支持したデータキャリア装着体の構成を示す斜視図である。
【図１８】印刷シリンダの構成を示す図である。
【図１９】データキャリアのアンテナコイルの周囲に分布する磁界を示す図である。
【図２０】データキャリアの制御系の構成を示す図である。
【符号の説明】
１…データキャリア
２…アンテナコイル
３…コア
４…ＩＣ回路
４ａ…ＣＰＵ
４ｂ…メモリ
４ｃ…送受信回路
４ｄ…コンデンサ
５…印刷シリンダ
５ａ…筒体
５ｂ…側板
５ｃ…貫通孔
６…ガラス容器
７…回転軸
８…データキャリア装着体
８ａ…支持部
８ｂ，８ｂ１，８ｂ２…支持体
８ｃ…延長体
８ｄ，８ｅ…第１、第２の折曲部
８ｆ…取付部
８ｇ…中間体
８ｈ１，８ｈ２…連結部
８ｉ１，８ｉ２…先端部
９…データキャリア装着体
９ａ…支持部
９ｂ１，９ｂ２，９ｂ３，９ｂ４，９ｂ５，９ｂ６…支持体
９ｆ…取付部
９ｇ１，９ｇ２，９ｇ３…中間体
１０ａ，１０ｂ…支持形成体
１１…データキャリア装着体
１１ａ…支持部
１１ｂ…取付部
１２ａ〜１２ｄ…板バネ
１３…軸部材
１４…凹面
１４ａ…エッジ部
１４ｂ…切欠溝
１５…切込部
１５ａ…突っ張り部
１６…リングスリーブ
２１…板バネ
２２ａ，２２ｂ…止金具
２３…データキャリア装着体
２３ａ…支持部
２３ｂ…取付部
２４…固定ボルト
【図１】
2004058432.tif 000003
【図２】
2004058432.tif 000004
【図３】
2004058432.tif 000005
【図４】
2004058432.tif 000006
【図５】
2004058432.tif 000007
【図６】
2004058432.tif 000008
【図７】
2004058432.tif 000009
【図８】
2004058432.tif 000010
【図９】
2004058432.tif 000011
【図１０】
2004058432.tif 000012
【図１１】
2004058432.tif 000013
【図１２】
2004058432.tif 000014
【図１３】
2004058432.tif 000015
【図１４】
2004058432.tif 000016
【図１５】
2004058432.tif 000017
【図１６】
2004058432.tif 000018
【図１７】
2004058432.tif 000019
【図１８】
2004058432.tif 000020
【図１９】
2004058432.tif 000021
【図２０】
2004058432.tif 000022